(57)【特許請求の範囲】
【請求項１】
排気通路に排気中の微粒子状物質を捕集する第１のフィルタを備えるとともに、前記第１のフィルタの上流側の前記排気通路に排気中の成分に対して酸化能を有する酸化触媒を備えたエンジンの排気熱回収装置であって、
前記酸化触媒と前記第１のフィルタとの間の前記排気通路に並列に接続されたバイパス路と、
前記バイパス路に備えられ、前記バイパス路を通過する排気と熱媒体との間で熱交換させる熱交換手段と、
前記熱交換手段の熱交換率を検出する熱交換率検出手段と、
前記酸化触媒を通過した排気の流入先を、前記バイパス路に並列した前記排気通路と前記バイパス路との間で切換える切換手段と、
少なくとも前記切換手段を作動制御する制御手段とを備え、
前記制御手段は、前記熱交換率検出手段により検出した前記熱交換率が許容範囲の下限値以下である場合には、次回の前記第１のフィルタの再生時において、前記酸化触媒を通過した排気が前記バイパス路を通過するように、前記切換手段を作動制御することを特徴とするエンジンの排気熱回収装置。
【請求項２】
前記制御手段は、前記熱交換率を制御可能であって、前記第１のフィルタの再生時において、前記切換手段を作動制御して前記酸化触媒を通過した排気を前記バイパス路に通過させる場合には、前記熱交換率検出手段により検出された熱交換率を所定値以下とすることを特徴とする請求項１に記載のエンジンの排気熱回収装置。
【請求項３】
前記熱交換手段には、貴金属が担持されていることを特徴とする請求項２に記載のエンジンの排気熱回収装置。
【請求項４】
前記熱交換手段の上流側の前記バイパス路に、排気中の微粒子状物質を捕集する第２のフィルタを備えたことを特徴とする請求項１〜３のいずれか１項に記載のエンジンの排気熱回収装置。
【請求項５】
前記第２のフィルタにおける微粒子状物質の堆積量を検出する堆積量検出手段を備え、
前記制御手段は、前記堆積量検出手段により検出した微粒子状物質の堆積量が所定量以上である場合には、前記第１のフィルタの再生時において、前記酸化触媒を通過した排気が前記バイパス路を通過するように、前記切換手段を作動制御することを特徴とする請求項４に記載のエンジンの排気熱回収装置。
【請求項６】
前記制御手段は、前記酸化触媒を通過した排気を前記バイパス路に通過させる場合には、前記切換手段を全開状態から全閉状態まで開度を連続的に徐変制御することを特徴とする請求項５に記載のエンジンの排気熱回収装置。
【請求項７】
前記第２のフィルタには、貴金属が担持されていることを特徴とする請求項５に記載のエンジンの排気熱回収装置。
【発明の詳細な説明】
【技術分野】
【０００１】
本発明は、エンジンの排気熱回収装置に係り、詳しくは、排気通路に備えられた熱交換器による熱回収技術に関する。
【背景技術】
【０００２】
希薄燃焼で運転可能なエンジン、例えばディーゼルエンジンの排気を浄化する排気後処理装置として、ディーゼルパティキュレートフィルタ（以下、ＤＰＦという）が知られている。ＤＰＦは、排気通路に設けられ、排気中の微粒子状物質（パティキュレートマター、以下、ＰＭという）を捕集するものである。また、排気通路に酸化触媒を設け、この酸化触媒に未燃燃料を流入させて酸化反応を起こさせ、これに伴う反応熱により排気温度を上昇させて、排気中のＰＭやＤＰＦに捕集されたＰＭを燃焼・除去させる技術が知られている。
【０００３】
また、エンジンの排気通路に熱交換器を備え、排気熱を回収して冷却水をあたためることで、暖機運転時間を短縮させる技術が知られている。具体的には、排気通路にバイパス路を設けて、当該排気通路に熱交換器を配置するとともに、排気通路とバイパス路の接続部に流路切換弁を備え、エンジンから排出した排気が熱交換器を通過、または通過しないように切り換える機能を有している（特許文献１）。
【０００４】
このように構成することにより、例えば暖機完了後では排気が熱交換器を通過させないようにすることで、冷却水の必要以上の昇温を防止するとともに、熱交換器の下流側に設けた三元触媒に流入する排気温度の低下を抑制して排気浄化性能を向上させている。
【先行技術文献】
【特許文献】
【０００５】
【特許文献１】特開２００９−１２７４３５号公報
【発明の概要】
【発明が解決しようとする課題】
【０００６】
上記特許文献１では、通常燃焼のガソリンエンジンにおける排気熱を回収可能としているが、ディーゼルエンジンについても、同様に暖機運転時間の短縮化が要求されている。しかしながら、一般的にディーゼルエンジンの排気通路には、三元触媒ではなく、上記のように酸化触媒やＤＰＦが備えられており、熱交換器の適切な配置が検討されていなかった。例えば、熱交換器が排気通路の下流に配置されると熱交換率が低下し、上流側に配置されるとその下流側の触媒の冷態始動時における早期活性を妨げる要因となってしまう。
【０００７】
本発明は、この様な問題を解決するためになされたもので、その目的とするところは、排気通路に酸化触媒及びＤＰＦを備えた希薄燃焼エンジンにおいて、酸化触媒の活性化を損ねることなく、熱回収を効率よく行うことが可能な排気熱回収装置を提供することにある。
【課題を解決するための手段】
【０００８】
上記の目的を達成するために、請求項１のエンジンの排気熱回収装置は、排気通路に排気中の微粒子状物質を捕集する第１のフィルタを備えるとともに、第１のフィルタの上流側の排気通路に排気中の成分に対して酸化能を有する酸化触媒を備えたエンジンの排気熱回収装置であって、酸化触媒と第１のフィルタとの間の排気通路に並列に接続されたバイパス路と、バイパス路に備えられ、バイパス路を通過する排気と熱媒体との間で熱交換させる熱交換手段と、熱交換手段の熱交換率を検出する熱交換率検出手段と、酸化触媒を通過した排気の流入先を、バイパス路に並列した排気通路とバイパス路との間で切換える切換手段と、少なくとも切換手段を作動制御する制御手段とを備え、制御手段は、熱交換率検出手段により検出した熱交換率が許容範囲の下限値以下である場合には、次回の第１のフィルタの再生時において、酸化触媒を通過した排気がバイパス路を通過するように、切換手段を作動制御することを特徴とする。
【０００９】
また、請求項２のエンジンの排気熱回収装置は、請求項１において、制御手段は、熱交換率を制御可能であって、第１のフィルタの再生時において、切換手段を作動制御して酸化触媒を通過した排気をバイパス路に通過させる場合には、熱交換率検出手段により検出された熱交換率を所定値以下とすることを特徴とする。
【００１０】
また、請求項３のエンジンの排気熱回収装置は、請求項２において、熱交換手段には、貴金属が担持されていることを特徴とする。
また、請求項４のエンジンの排気熱回収装置は、請求項１〜３のいずれか１項において、熱交換手段の上流側の前記バイパス路に、排気中の微粒子状物質を捕集する第２のフィルタを備えたことを特徴とする。
【００１１】
また、請求項５のエンジンの排気熱回収装置は、請求項４において、第２のフィルタにおける微粒子状物質の堆積量を検出する堆積量検出手段を備え、制御手段は、堆積量検出手段により検出した微粒子状物質の堆積量が所定量以上である場合には、第１のフィルタの再生時において、酸化触媒を通過した排気がバイパス路を通過するように、切換手段を作動制御することを特徴とする。
【００１２】
また、請求項６のエンジンの排気熱回収装置は、請求項５において、制御手段は、酸化触媒を通過した排気をバイパス路に通過させる場合には、切換手段を全開状態から全閉状態まで開度を連続的に徐変制御することを特徴とする。
また、請求項７のエンジンの排気熱回収装置は、請求項５において、第２のフィルタには、貴金属が担持されていることを特徴とする。
【発明の効果】
【００１３】
請求項１の発明によれば、エンジンの排気通路に設けられた酸化触媒と第１のフィルタとの間の排気通路に熱交換手段を有するバイパス路が設けられるので、排気がバイパス路を通過するように切換手段を作動制御することで、熱交換手段によって排気熱を回収することができる。したがって、例えば熱媒体がエンジンの冷却水である場合には、排気の熱エネルギーによって冷却水を暖めて、暖機運転時間を短縮させることができる。
【００１４】
特に、熱交換手段が酸化触媒の下流側に配置されるので、例えば冷態始動時において、酸化触媒を優先して活性化させ、排気浄化性能を迅速に確保することができるとともに、酸化触媒より下流側での排気の温度上昇を促すことができる。また、熱交換手段が第１のフィルタの上流側に配置されるので、熱交換手段における排気熱の回収効率を向上させることができる。なお、一般的にフィルタは、温度低下による捕集効率の低下が比較的少ないので、下流側に配置することで第１のフィルタの機能低下を招く虞は少ない。
【００１５】
このように熱交換手段を酸化触媒と第１のフィルタとの間に備えることで、酸化触媒及び第１のフィルタの機能低下を抑えつつ、熱交換手段における排気熱の回収効率を向上させることができる。
更に、熱交換率が許容範囲の下限値以下である場合には、次回の第１のフィルタの再生時において、酸化触媒を通過した排気がバイパス路を通過するので、熱交換手段に堆積した排気中の微粒子状物質を燃焼除去して、熱交換手段の熱交換率を回復させることができる。
【００１６】
また、請求項２の発明によれば、第１のフィルタの再生時において、酸化触媒を通過した排気がバイパス路を通過する際に、熱交換手段における熱交換量を抑え、熱交換手段の再生時間の短縮化を図ることができる。
また、請求項３の発明によれば、熱交換手段に貴金属が担持されているので、熱交換手段に堆積した微粒子状物質の燃焼除去を促進させることができる。
【００１７】
また、請求項４の発明によれば、熱交換手段の上流側のバイパス路に、排気中の微粒子状物質を捕集する第２のフィルタを備えたので、熱交換手段に微粒子状物質が堆積することを防止し、熱交換手段の熱交換率を維持することができる。
また、請求項５の発明によれば、第２のフィルタに微粒子状物質が所定量以上堆積した場合に、第１のフィルタの再生時において酸化触媒を通過した排気がバイパス路を通過するので、第２のフィルタに堆積した微粒子状物質を燃焼除去し、第２のフィルタを再生することができる。これにより、排気熱回収時における第２のフィルタでの圧損を低下させ、燃費低下を抑制することができる。また、過度にＰＭが堆積した状態で燃焼した場合に発生する虞のある第２のフィルタの焼損を未然に防止することができる。
【００１８】
また、請求項６の発明によれば、酸化触媒を通過した排気をバイパス路に通過させる際に、切換手段を全開状態から全閉状態まで開度を連続的に徐変制御するので、第２のフィルタの再生開始直後では、第２のフィルタを通過する排気の流量を抑えて、圧損の大幅な上昇を抑え、再生が進行して第２のフィルタから微粒子状物質が除去され圧損が低下するに伴って第２のフィルタを通過する排気の流量を増加して、迅速な再生完了を図ることができる。
【００１９】
また、請求項７の発明によれば、第２のフィルタに貴金属が担持されているので、第２のフィルタにおける微粒子状物質の燃焼除去を促進させることができる。
【図面の簡単な説明】
【００２０】
【図１】本発明の第１の実施形態の排気熱回収装置が適用されたディーゼルエンジンの吸排気系の構成図である。
【図２】本発明の第１の実施形態の排気熱回収装置の構造図である。
【図３】本発明の第２の実施形態の排気熱回収装置の構造図である。
【図４】ＰＭフィルタ再生時における開閉弁の開度の推移を示すグラフである。
【発明を実施するための形態】
【００２１】
以下、本発明の実施の形態を図面に基づき説明する。
図１は、本発明の第１の実施形態の排気熱回収装置が適用されたディーゼルエンジン（以下、エンジン１という）の吸排気系の構成を示している。
エンジン１は、例えば車両に搭載されたコモンレール式直列多気筒のディーゼルエンジンである。エンジン１のシリンダヘッド２には、燃焼室３内に燃料を噴射する電磁式の燃料噴射弁４が気筒毎に設けられている。各燃料噴射弁４は図示しないコモンレールに接続されており、コモンレールから、高圧の燃料が供給される。
【００２２】
エンジン１の吸気通路１０には、吸入空気量を調節する電磁式の吸気絞り弁１１と、その上流側に吸気流量を検出するエアフローセンサ１２が設けられている。
エンジン１の排気通路２０には、排気中の微粒子状物質（ＰＭ）を捕集するディーゼルパティキュレートフィルタ（ＤＰＦ２１：本発明の第１のフィルタに該当する）が備えられている。ＤＰＦ２１は、例えば、ハニカム担体の通路の上流側及び下流側を交互にプラグで閉鎖し、通路を形成する多孔質の壁にプラチナ（Ｐｔ）、パラジウム（Ｐｄ）、ロジウム（Ｒｈ）等の触媒貴金属を担持して形成されている。
【００２３】
また、ＤＰＦ２１の上流側の排気通路２０には、酸化触媒（以下、ＤＯＣ２２という）が設けられている。ＤＯＣ２２は、例えば、通路を形成する多孔質の壁にプラチナ（Ｐｔ）、パラジウム（Ｐｄ）、ロジウム（Ｒｈ）等の触媒貴金属を担持して形成されており、排気中のＣＯ及びＨＣを酸化させてＣＯ2及びＨ2Ｏに変換させるとともに、排気中のＮＯを酸化させてＮＯ2を生成する機能を有する。
【００２４】
また、酸化触媒２２の下流側には、酸化触媒２２を通過した直後の排気温度を検出する排気温度センサ３０が備えられている。ＤＰＦ２１の下流側には、ＤＰＦ２１通過直後の排気温度を検出する排気温度センサ３１が設けられている。更に、ＤＰＦ２１の上流側と下流側との差圧を検出する差圧センサ３２が設けられている。
電子コントロールユニット（以下、ＥＣＵ４０という）（制御手段、熱交換率検出手段、堆積量検出手段）は、エンジン１の運転制御をはじめとして総合的な制御を行うための制御装置であり、入出力装置、記憶装置（ＲＯＭ、ＲＡＭ、不揮発性ＲＡＭ等）、中央処理装置（ＣＰＵ）等を含んで構成されている。
【００２５】
ＥＣＵ４０の入力側には、上述したエアフローセンサ１２、排気温度センサ３０，３１及び差圧センサ３２の他に、クランク角を検出するクランク角センサ３３、アクセルペダルの踏込量を検出するアクセルポジションセンサ３４、及び車速を検出する車速センサ３５等が接続されており、これらセンサ類からの検出情報が入力される。
一方、ＥＣＵ４０の出力側には、燃料噴射弁４、吸気絞り弁１１等の各種出力デバイスが接続されており、これら各種出力デバイスには各種センサ類からの検出情報に基づきＥＣＵ４０において演算された燃料噴射量、燃料噴射時期等がそれぞれ出力され、これにより、適正なタイミングで吸気絞り弁１１及び燃料噴射弁４等の制御が実施される。
【００２６】
上記のようにＤＰＦ２１の上流にＤＯＣ２２が配置されていると、通常のエンジン運転時には、ＤＯＣ２２において生成されたＮＯ2がＤＰＦ２１に流入し、ＤＰＦ２１に捕集され堆積しているＰＭ中の炭素成分である煤と反応してこれを酸化させる。酸化した煤はＣＯ2となり、ＤＰＦ２１から除去され、これによりＤＰＦ２１が連続的に再生される連続再生が行われる。
【００２７】
一方、エンジン１の運転状況によっては、上記連続再生だけではＤＰＦ２１の再生が十分に行われない場合がある。そこで、ＥＣＵ４０は、エンジン１の運転を制御してＤＰＦ２１を強制再生させる機能を有している。
詳しくは、ＥＣＵ４０は、差圧センサ３２にて検出される差圧よりＤＰＦ２１におけるＰＭの堆積量を算出する。算出された堆積量が予め実験にて設定された許容堆積量以上となると、排気温度センサ３１により検出したＤＰＦ２１通過後の排気温度、即ちＤＰＦ２１の温度が、強制再生温度の目標値である目標再生温度となるように強制再生温度を昇温させる。
【００２８】
当該強制再生は、エンジン１の運転時における燃料の主噴射の後の例えば膨張行程以降に強制再生温度となるように燃料のポスト噴射（副噴射）を行い、未燃燃料（ＨＣ、ＣＯ等）を含んだ排気を排気通路２０に排出させることによって行われる。排気中に混入された未燃燃料は、ＤＯＣ２２に流入して酸化され、酸化の反応熱によって排気温度を上昇させる。これにより、高温の排気が排気下流側のＤＰＦ２１に流入して当該ＤＰＦ２１に堆積したＰＭを加熱し燃焼させ、ＤＰＦ２１を強制的に再生させることが可能である。
【００２９】
更に、本実施形態では、排気熱を回収して有効利用するための排気熱回収装置５０を備えている。
排気熱回収装置５０は、ＤＯＣ２２とＤＰＦ２１との間の排気通路２０の一部である主排気通路５１に対して並列に設けられたバイパス路５２と、バイパス路５２に設けられた熱交換器５３(熱交換手段)と、主排気通路５１とバイパス路５２との分岐部に設けられた開閉弁５４（切換手段）とにより構成されている。
【００３０】
熱交換器５３は、エンジン１の冷却水が導入されており、バイパス路５２を通過する排気と冷却水との間で熱交換を行う機能を有する。
開閉弁３４は、ＥＣＵ４０により作動制御され、主排気通路５１を開閉する機能を有し、主排気通路５１を全開とする全開状態と主排気通路５１を全閉とする全閉状態との間で切り換え可能である。バイパス通路５２は主排気通路５１より流路断面積が小さく、また熱交換器５３が備えられているため、流路抵抗が大きいので、開閉弁５４が全開状態では酸化触媒２２から排出された排気の多くが主排気通路５１を通過する。一方、開閉弁５４が全閉状態では、酸化触媒２２から排出された排気は全てバイパス通路５２を通過する。したがって、開閉弁５４は、酸化触媒２２から排出された排気がバイパス路５２、及び主排気通路５１のいずれかを通過するように流路を切換える機能と同等の機能を有する。
【００３１】
そして、ＥＣＵ４０がバイパス路５２を排気が通過するように開閉弁５４を作動制御することで、熱交換器５３によって、バイパス路５２を通過する排気と冷却水との間で熱交換が行われ、排気熱を回収することができる。
ＥＣＵ４０は、エンジン１の冷態始動時（例えば、冷却水温度が所定温度以下である場合）において、バイパス路５２を排気が通過するように開閉弁３４を閉作動制御する。これにより、エンジン１の冷却水が暖められるので、エンジン１の冷態始動時において、排気熱を利用して暖機を促し、暖機運転時間を短縮させることができる。
【００３２】
また、ＥＣＵ４０は、バイパス路５２を排気が通過するように開閉弁５４を作動制御して排気熱を回収しているときに、熱交換器５３の熱交換率を監視する機能を有している。熱交換率は、熱交換器５３における熱交換性能を表す指標であり、例えば熱交換器５３を流通する冷却水の流量と、熱交換器５３の上流側の冷却水温と下流側の冷却水温との差を積算して求められた熱回収量から判定すればよい。
【００３３】
そして、ＥＣＵ４０は、熱交換器５３の熱交換率が許容範囲の下限値に近い所定値以下となった場合には、次回のＤＰＦ２１の強制再生時において、所定時間バイパス路５２を排気が通過するように開閉弁５４を制御する。
これにより、熱交換率が低下した熱交換器５３に対して、強制再生時に酸化触媒２２から高温の排気が熱交換器５３に流入し、熱交換器５３に堆積したＰＭを燃焼除去して、熱交換器５３を再生させ、熱交換器５３の熱交換率を回復させることができる。
【００３４】
更に、熱交換器５３を通過させる冷却水の流量を制御する流量制御弁を設け、熱交換器５３の再生時に冷却水の流量を制限するとよい。このようにすれば、熱交換器５３における熱交換量が抑えられるので、熱交換器５３の再生時間の短縮化を図ることができる。
また、熱交換器５３を再生することで、熱交換器５３の非再生時と比較してＤＰＦ２１の入口の排気温度が変化してしまうので、熱交換器５３の再生時においてもＤＰＦ２１が再生に適した温度となるように、ポスト噴射の噴射量を制御するとよい。このようにすれば、熱交換器５３の再生時において同時にＤＰＦ２１の再生も可能となり、熱交換器５３及びＤＰＦ２１の総再生時間を短縮することができる。
【００３５】
次に、図３を用いて本発明の第２の実施形態について説明する。
本発明の第２の実施形態の排気熱回収装置６０は、上記第１の実施形態の排気熱回収装置５０に対して、熱交換器５３の上流側のバイパス路５２にＰＭフィルタ６１（第２のフィルタ)を備えたことが異なる。
ＰＭフィルタ６１は、ＤＰＦ２１と同様にＰＭを捕集する機能を有し、ＤＰＦ２１よりも小型で容量が低く設定されている。
【００３６】
本実施形態では、熱交換器５３の上流側にＰＭフィルタ６１が備えられているので、熱交換器５３にＰＭが堆積し難くなり、熱交換器５３の熱交換率を維持させることができる。しかしながら、ＰＭフィルタ６１にＰＭが堆積するので、熱交換器５３の再生の代わりにＰＭフィルタ６１の再生を必要とする。
ＰＭフィルタ６１の再生は、ＥＣＵ４０により、ＰＭフィルタ６１におけるＰＭの堆積量を推定し、当該堆積量の推定値が許容範囲の上限値に近い所定量以上となった場合に実行される。ＰＭフィルタ６１におけるＰＭの堆積量の推定値は、例えば前回のＰＭフィルタ６１の再生からＰＭフィルタ６１を通過した排気流量の積算値に基づいて推定すればよい。排気流量の積算値は、エアフローセンサ１２により検出した吸気流量と燃料噴射弁から噴射した燃料噴射量とに基づいて演算された排気流量と、開閉弁５４の開度とに基づいて演算すればよい。あるいは、ＰＭフィルタ６１の再生開始を、前回のＰＭフィルタ６１の再生からのエンジン１の運転時間に基づいて簡易的に判定してもよい。
【００３７】
そして、ＥＣＵ４０は、ＰＭフィルタ６１におけるＰＭの堆積量が所定量以上となった場合には、次回のＤＰＦ２１の強制再生時において、所定時間バイパス路５２を排気が通過するように開閉弁５４を閉作動制御する。
これにより、ＰＭが所定量以上堆積したＰＭフィルタ６１に対して、強制再生時に酸化触媒２２から高温の排気がＰＭフィルタ６１に流入し、ＰＭフィルタ６１に堆積したＰＭを燃焼除去して、ＰＭフィルタ６１を再生させることができる。よって、ＰＭフィルタ６１における圧損を低下させ、冷態始動時における燃費低下を抑制することができる。また、過度にＰＭが堆積した状態でＰＭが燃焼した場合において発生する虞のあるＰＭフィルタ６１の焼損を、未然に防止することができる。
【００３８】
更に、排気熱回収装置６０において、開閉弁５４の開度を連続的に制御するとよい。具体的には、ＥＣＵ４０によって、開閉弁５４が全開状態から全閉状態まで開度を連続的に制御可能とする。全開状態から全閉状態までの遷移については、ＰＭフィルタ６１に堆積したＰＭ堆積量に基づいて連続的に開度制御することが望ましいが、簡略化のため経過時間に基づいて制御してもよい。
【００３９】
図４は、ＰＭフィルタ６１の再生時における開閉弁５４の開度の推移を示すグラフである。
ＥＣＵ４０は、ＰＭフィルタ６１の再生時において、図４に示すように、再生開始から全閉にするのではなく、徐々に開度を低下させるようにしている。
これは、比較的容量の少ないＰＭフィルタ６１にＰＭが堆積した状態で多量に排気を通過させると、圧損が大幅に上昇するので、エンジン１の出力が大きく変化してドライバビリティが低下するとともに燃費低下を招く虞があるためである。また、堆積したＰＭが急激に燃焼し、ＰＭフィルタ６１の溶損を招く虞があることも考慮されている。
【００４０】
このように開閉弁５４の開度を徐々に全閉にすることで、ＰＭフィルタ６１の再生開始直後では、ＰＭフィルタ６１を通過する排気の流量を抑えて、圧損の大幅な上昇を抑え、再生が進行してＰＭフィルタ６１からＰＭが除去され圧損が低下するに伴ってＰＭフィルタ６１を通過する排気の流量を増加して、迅速な再生完了を図ることができる。
また、以上の実施形態において、熱交換器５３やＰＭフィルタ６１に、プラチナ（Ｐt）、パラジウム（Ｐd）、ロジウム（Ｒh）等の貴金属を担持させるとよい。このようにすれば、熱交換器５３やＰＭフィルタ６１の再生時におけるＰＭの燃焼除去を促進させ、再生時間を短縮することができる。更に、熱交換器５３やＰＭフィルタ６１にセリウム（Ｃe）等の希土類を担持させるとよい。これにより、希土類の酸素貯蔵能力を利用して、再生時における酸素の安定した供給を図ることができ、再生時間の更なる短縮を図ることができる。
【００４１】
以上で発明の実施形態の説明を終えるが、本発明の形態は上記実施形態に限定されるものではない。
例えば上記実施形態では、主排気通路５１を開閉する開閉弁５４によって、排気の流路を切換えているが、バイパス路５２に開閉弁を設けてもよいし、主排気通路５１とバイパス路５２の下流側との接続部に開閉弁を設けてもよい。
【００４２】
また、本実施形態では、熱交換器５３によってエンジン１の冷却水を暖め、排気の熱を冷態始動時における暖機に利用しているが、始動時だけでなく通常運転時に暖房等の用途に利用したり、あるいは冷却水以外の熱媒体を介して排気の熱エネルギーをその他の機器や用途に利用したりしてもよい。
【符号の説明】
【００４３】
１  エンジン
２０  排気通路
２１  ＤＰＦ
２２  ＤＯＣ
４０  ＥＣＵ
５０、６０  排気熱回収装置
５２  バイパス路
５３  熱交換器
５４  開閉弁
６１  ＰＭフィルタ
【図１】
0005761517.tif 000002
【図２】
0005761517.tif 000003
【図３】
0005761517.tif 000004
【図４】
0005761517.tif 000005